(57)【要約】      （修正有）【課題】アライメントを行うために地面に置くことができる携帯性で伸縮型レーザーゴルフトレーニング用装置を提供する。【解決手段】オン・オフの切り替えが可能なレーザー又は他の光源により作られる、プレイの方向に及びそれと垂直な方向の両方向に地面に沿って複数の光線を供給できる。たたまれた状態では、該装置は四方向に発射して互いに直角に走る一対の軸ラインを創出する。伸びた状態では、該装置の二つの半分部をスライドさせて離すことによって、該主軸ラインの一つを二つの平行なラインに分離することができる。該装置はゴルファーの前の地面（ゴルファーの足とボールとの間）に置くことで使用できる。二つのラインはプレイの方向に対して垂直な方向であって外方向へと発射され、そして、１本又はそれ以上のラインがプレイの方向へ、また該方向から遠のくように発射される。これらのラインがゴルファーにアライメントを提供する。【選択図】図１
2010201159.tif 000002
【特許請求の範囲】
【請求項１】
中央部と二つの端部を有する、引き伸ばされたハウジングと、
前記ハウジングの中央部に位置する第一の光源と、
スイベルプラットフォーム上にある、前記の二つの端部に位置する第二及び第三の光源と、
前記ハウジング内に収容された電池と、
前記ハウジングに取り付けられた少なすぎると１個の制御スイッチと、
を備えてなり、
前記電池は前記制御スイッチに、そして前記複数の光源に電気的に接続されており、前記制御スイッチは前記光源を作動又は不作動させることができるものである、
スポーツアライメント装置であって、
該装置は二つのモードを有し、
第一モードにおいては、前記装置は少なくとも３本の光線を一平面内に発射し、第一の光線はプレイの方向で、第二の光線は該第一の光線に対して垂直な方向であり、そして第三の光線は第二の光線の方向と反対の方向である；
第二モードにおいては、前記第二及び第三の光源が前記の平面内に二本の平行な光線を発射するものである、
スポーツアライメント装置。
【請求項２】
請求項１に記載のスポーツアライメント装置であって、前記の第二のモードでは、前記第二及び第三の光源は互いの方へ動き又は互いから離れる方へ動いて、前記二つの平行な光線の間の距離を変えることができる、スポーツアライメント装置。
【請求項３】
請求項１に記載のスポーツアライメント装置であって、前記装置が第一のモードから第二のモードに切り替えられると前記第一の光源が自動的に切られてオフとなり、前記装置が第二のモードから第一のモードに切り替えられると前記第一の光源が自動的にスイッチオンとなる、スポーツアライメント装置。
【請求項４】
請求項１に記載のスポーツアライメント装置であって、前記第二のモードにおいて、前記の複数の光源は前記の平面内においてさまざまの異なった角度に調整することができる、スポーツアライメント装置。
【請求項５】
請求項１に記載のスポーツアライメント装置であって、前記複数の光線のおのおのがレーザーにより作られる、スポーツアライメント装置。
【請求項６】
請求項５に記載のスポーツアライメント装置であって、前記のレーザーが固体レーザーであるスポーツアライメント装置。
【請求項７】
請求項１記載のスポーツアライメント装置であって、前記の複数の光線が緑色であるスポーツアライメント装置。
【発明の詳細な説明】
【技術分野】
【０００１】
本発明は一般に光支援スポーツ向上のための装置に関し、さらに詳しくはレーザーを用いるゴルフ又は他のスポーツのアライメント装置及び方法に関する。
【背景技術】
【０００２】
ゴルフクラブの上又は近くの辺りにレーザー又は他の光源を配置する多数の装置が当業界では知られている。例えば、US6,007,436（特許文献1）には、ゴルファーの足をボールに対してアライメントするのを助けるレーザーシステムが記載されている。US5,029,868（特許文献2）には、ゴルフクラブに装着した、練習用高強度の光源が記載されている。US2005/0261072（特許文献3）には、ゴルフクラブに接続された１又は２のレーザー装置を備えたゴルフクラブアライメント装置が記載されている。
US5,435,562（特許文献4）には、レーザー発振ダイオードとレーザー反射プリズムを備えたゴルフクラブが記載されている。US5,042,815（特許文献5）には、適切にアライメントしたゴルフのスタンスを得るための格子状標準装置が記載されている。US5,467,991（特許文献6）には、ゴルフのシャフトに取り付け可能で光線を発する自蔵型携帯装置が記載されている。US5,165,691（特許文献7）には、パタークラブに装着されるレーザーゴルフパターアセンブリーが開示されている。US5,738,595（特許文献8）には、ハンドヘルドレーザーポインティング装置が記載されている。US5,818,036（特許文献9）には、レーザー支援練習用パット装置が記載されている。
US5,452,897（特許文献10）には、パタークラブのボールを打つ面に鏡を設けたレーザーパターアライメントシステムが記載されている。US6,213,887（特許文献11）には、レーザー標準装置を用いるゴルフ練習装置が記載されている。US7,134,966（特許文献12）には、ボールの後方に配置する、光装置を使用するゴルフのパタートレーニング用装置が記載されている。US7,118,488（特許文献13）には、レーザー光線発射装置を用いるトレーニング用パターが開示されている。US6,672,972（特許文献14）、US5,467,992（特許文献15）及びUS7,207,896（特許文献16）には、帽子に装着するレーザーゴルフ装置が記載されている。US7,160,198（特許文献17）には、ゴルフクラブのスイングトレーニングシステムが記載されている。US6,383,087（特許文献18）には、ゴルファーの目標傾向を測定する、レーザーを用いるゴルフのパットのアライメントシステムが開示されている。US6,767,291（特許文献19）には、パター上に装着したレーザーを備えたパット装置が記載されている。US5,810,674（特許文献20）には、光源を備えたゴルフクラブが開示されている。US5,759,110（特許文献21）には、ゴルフクラブの長軸に沿う光線を用いるスイングトレーニング装置が記載されている。
【０００３】
これら及びその他の従来技術の方法のいずれもが、動くゴルフクラブに光源が取り付けられているか、又はゴルファーが光線の発射を最も必要とする時に光線を発射しない、といういずれかの問題を有している。ボールが飛ぶ方向に又はそれと垂直な方向に、地面上に直角に光線を配することができる、レーザーゴルフアライメントのシステム又は方法があれば好都合であろう。パットでボールがころがる方向に二つの分離した光線を放射することができれば、これも便利であろう。
【先行技術文献】
【特許文献】
【０００４】
【特許文献１】US6,007,436B
【特許文献２】US5,029,868B
【特許文献３】US2005/0261072A
【特許文献４】US5,435,562B
【特許文献５】US5,042,815B
【特許文献６】US5,467,991B
【特許文献７】US5,165,691B
【特許文献８】US5,738,595B
【特許文献９】US5,818,036B
【特許文献１０】US5,452,897B
【特許文献１１】US6,213,887B
【特許文献１２】US7,134,966B
【特許文献１３】US7,118,488B
【特許文献１４】US6,672,972B
【特許文献１５】US5,467,992B
【特許文献１６】US7,207,896B
【特許文献１７】US7,160,198B
【特許文献１８】US6,383,087B
【特許文献１９】US6,767,291B
【特許文献２０】US5,810,674B
【特許文献２１】US5,759,110B
【発明の概要】
【０００５】
本発明は、携帯可能な伸縮型で、地面に置いてアライメントを行うことが可能なレーザーゴルフトレーニング装置に関する。本発明はオン・オフの切り替え可能なレーザー又はその他の光源から発せられ、プレイ方向及びそれに垂直方向の両方向に地面に沿って発射される複数の光線を供給することができる。たたまれた状態では該装置は４方向に発射し、相互に直角に走る一対の軸ライン(axis lines)を創り出す。伸ばした状態では、該装置の二つの半分部をスライドさせて引き離すことによりパットのアライメントのためにこれらの主要軸ラインの一つを二つの平行なラインに分離させることができる。該装置はゴルファーの地面上に（アイアン又はウッドの場合にはゴルファーの両足とボールとの間に、パットの場合にはボールの約一フィート後方に）置いて使用できる。該装置は、ボールがゴルファーと該装置との間になるように配することもできる。二つのラインは、プレイの方向に対して垂直に外方向に発射され、そして二本又は四本のラインがプレイの方向へ、そして、プレイの方向から遠のくように発射される。これらのラインによりゴルファーはアライメントが可能になる。複数の光線のオン・オフのさまざまな組み合わせを、ユーザが制御するセレクタースイッチにより選択することができる。該装置は充電式電池を備えることができる。
【０００６】
では、本発明の特徴を示すいくつかの図面を説明する。
【図面の簡単な説明】
【０００７】
【図１】たたんだ状態にあって４本又は６本の光線を提供する、本発明の実施形態を示す図である。
【図２】該システムのさまざまな構成部品に参照標識を付した以外は図１と同様の図である。
【図３】図１及び図２の実施形態を、６本の光線を提供する伸びた状態で示す図である。
【図４】本発明の一実施形態の内部構成部品を示す。
【図５】本発明の電子的部分のブロック図を示す。
【図６】スプリッターとミラーを使用して多数の光線を作る方法を示す。
【図７Ａ】ゴルファーとボールとの関係において本装置の配置を示す。
【図７Ｂ】ゴルファーとボールとの関係において本装置の配置を示す。
【０００８】
いくつかの図面を本発明の理解を助けるために示した。本発明の範囲はこれらの図面に示されたものに限定されない。
【発明を実施するための形態】
【０００９】
本発明は、レーザー又は他の光源を使用して地面上のゴルファーの両足とボールとの間の位置から光線を発射するゴルフアライメントの方法及びシステムに関する。図１に示す小型電池式装置はレーザー光線を発射でき、地面に置くことができる。縮んだ状態では、通常、第一の一対のラインがプレイの方向（ボールが進む方向）に対して垂直に発射される。これら第一の対のラインの一つは外向きにボールへと発射される。二番目は後ろ向きにゴルファーの足方向へ発射される。第二の一対のラインがプレイの方向へ、そして該プレイの方向から遠のく方向へ発射される（これは図１に示された通りの４本のラインであり得る）。プレイ方向に平行なラインが正確であるように、該装置を位置・方向調整させることができる。これによって、これらに垂直な前記のラインも正しくされる。こうしてゴルファーはスイングするのにアライメント（位置・方向調整）された位置に立つ。
【００１０】
伸ばした状態では、パットするために、一対の平行光線をプレイ方向に沿って発射させることができる。該装置は縮んだ状態から伸ばした状態に引き離すことでこれらのライン間を離すことができる。いずれの状態においても、通常、さまざまな光線をスイッチオン又はオフにすることができる。
【００１１】
図２において、図１の実施形態の別の状態が見られる。装置１はプレイのラインに対して垂直な光線5aと5bを、そして、プレイのラインに平行な光線4a、４b及び4c、4dを発射する。これらの光線はレーザー又はレーザーポート3ａ〜3b及び2a〜2dから発射される。該装置上のスイッチ７により該装置をオン・オフすることができ、どの光線を現に発射しているか制御することができる。図１及び図２に示す状態は縮んだ、即ち、伸ばしていない状態である。
【００１２】
図３は該装置の伸ばした状態の実施形態を示す。二つの半分部を引き離すことによって、光線4a、4cを光線4b、4dから離すことができる。図３は、その他の光線がオフになっていることを示す。本発明は、連結スライダーバー6に沿って引き離すように機械的に構成することができる。このバー6は二つの半分部を機械的にかつ電気的に接続することができる。
【００１３】
図４は内部の構成部品が見られる本発明の実施形態を示す。図４にはいくつかの接続といくつかの部品の配置が示されているが、さまざまな電気的接続が可能であり、いかなる構成部品の構成配置も本発明の範囲に属する。３つのレーザー8a、8b及び8cが図４に示されている。これらのレーザーはそれぞれ光線4a、4c及び5aを創出するのに使用される。一対の充電式電池９が中央の分離バー6に配されているのが示されている。これらのレーザーの選択とオン・オフのスイッチ７が、電池９を充電するための充電ポート１０とともに見られる。二つの電池９が示されているが、どのような数（一つでもよい）の電池でも該装置に所要の適切な電圧と電流を供給するのに使用できることは理解できよう。本発明の別の実施形態は充電式電池なしで構成することができる。
【００１４】
図５は、本発明の実施形態の電気的な略図である。この略図は本発明の原理を実施する好ましい方法の代表的なものである。当業者には、本発明を実現するのに多数の種々の回路を使用することができることが理解されよう。図５において、電池９は任意的なダイオード１１を介して任意的な充電ポート１０に接続されている。図５において、壁の変圧整流器からのDC電圧をこのポートに供給して該電池を再充電することができる。別の形態では、該装置には整流器が備わって、AC電圧を該電池に再充電のために供給することができる。電池９はセレクタースイッチ部品７にも接続される。このスイッチ７を選ぶことにより、さまざまなレーザー8a、8b、8c、8d、8e及び8fからのレーザー光線の所望の組み合わせを選択することができる。
【００１５】
図４及び図５に示した本発明の実施形態では、光線ごとに一つのレーザーとして、いくつかの異なるレーザーが用いられている。レーザー光線は分割することができることは周知である。必要なレーザー数及び所要電力を減らすためにビームスプリッター及び鏡を使用することは本発明の範囲内であり、図６に示す。この方法はレーザー数を減らすけれども、用いられるレーザーは通常より大きい光出力を有するものでなければならない。図６では、レーザーからの光線がビームスプリッターによって二本の光線に分割される。第一の光線は該装置の外へ出て行くように進行し続ける。第二の光線は三つの鏡によって反射されて、第一光線とは反対方向から外へ発射される。レーザー数を減らすためにどのような数のビームスプリッター及び鏡を使おうとも本発明の範囲内である。本発明の実施形態は、２本の光線、３本の光線、４本の光線、そして５本の光線を用いて構成することもできる。図１−２に示す通りに６本の光線を備える必要はない。
【００１６】
すべての場合において、光線が分割されるかどうか、又は個々のレーザーが一光線ごとに使用されるかにかかわらず、平行に、そして、垂直に、可能な限り近くなるようにこれら光線を注意深くアライメントすることが必要である。また、すべての発光、光分割又は光反射の部品が、該装置の使用中にずれないように、ハウジングにしっかりと装着されていなければならない。できれば、落としたり何かにぶつかったりする事故の場合のために、該装置はなるべく頑丈に設計されるべきである。
【００１７】
これまでの説明ではレーザーを光源として使用したが、例えばＬＥＤ、フラッシュライト型光線など、どのようなタイプの光源でも使用してもよいことを明記しておく。どのような色彩の光源でも光線に変形できるものであれば本発明の範囲内である。
【００１８】
図７Ａ及び７Ｂでは、本発明の装置を地面に置いているところを示す。図７Ａには、該装置をゴルファーの靴の先端とボールとの間のほぼ中間に置いた、ウッド及びアイアンの場合の配置が示されている。ボールが該装置とゴルファーとの間に位置するように配置することもできる。図7Bには、該装置をボールの一フィート後方に置いた、パットの場合の配置が示されている。
【００１９】
本発明はゴルフに、さらにはスポーツにさえ、限定されないことを明記しておく。むしろ、本発明はアライメントのための、また例えばクラスルームの黒板、建築などのために光線を一平面内に作るための、多数の用途に利用することができ、そしてまた、プレイに方向性を有するいずれのスポーツにも使用することができる。
【００２０】
いくつかの説明と図面とを本発明の理解を助けるために提示した。当業者であれば、本発明の精神を逸脱しないで多数の変形及び改変が可能であることを理解するであろう。こうした変形及び改変のいずれもが本発明の範囲内にあるものである。
【図１】
2010201159.tif 000003
【図２】
2010201159.tif 000004
【図３】
2010201159.tif 000005
【図４】
2010201159.tif 000006
【図５】
2010201159.tif 000007
【図６】
2010201159.tif 000008
【図７Ａ】
2010201159.tif 000009
【図７Ｂ】
2010201159.tif 000010
【外国語明細書】
2010201159.tif 000011
2010201159.tif 000012
2010201159.tif 000013
2010201159.tif 000014
2010201159.tif 000015
2010201159.tif 000016
2010201159.tif 000017
2010201159.tif 000018
2010201159.tif 000019
2010201159.tif 000020
【図１】
2010201159.tif 000021
【図２】
2010201159.tif 000022
【図３】
2010201159.tif 000023
【図４】
2010201159.tif 000024
【図５】
2010201159.tif 000025
【図６】
2010201159.tif 000026
【図７】
2010201159.tif 000027